(57)【要約】      （修正有）【課題】ヘッドレストの自然な傾動と、傾動に伴う術者の負担を軽減しうるヘッドレスト装置を提供する。【解決手段】ヘッドレストの支持板２１１と、支持板２１１を背板の後方に支持するよう、背板に取り付けられる、支持部と、を備えた、ヘッドレスト装置２であり、支持板２１１は、支持部に対して、前後方向に対して直角な第１水平軸４４の回りに回動可能となるように、且つ、前後方向に移動可能となるように、第１アーム４を介して支持部に連結されており、更に、支持板２１１は、支持部に対して、前後方向に対して直角な第２水平軸５５の回りに回動しながら、前方に向けて低くなっている傾斜方向に沿って前後方向に移動可能となるように、第２アーム５を介して支持部に連結されている。【選択図】図４
2010284265.tif 000002
【特許請求の範囲】
【請求項１】
医科歯科用診療台の長手方向における背板の後端にて患者頭部を支持可能なように、背板内部に取り付けて使用される、ヘッドレスト装置において、
患者の頭部を支えるためのヘッドレストと、
ヘッドレストを背板の後方に支持するよう、背板に取り付けられる、支持部と、
を備えており、
ヘッドレストは、支持部に対して、前後方向に対して直角な第１水平軸の回りに回動可能となるように、且つ、前後方向に移動可能となるように、第１アームを介して支持部に連結されており、
更に、ヘッドレストは、支持部に対して、前後方向に対して直角な第２水平軸の回りに回動しながら、前方に向けて低くなっている傾斜方向に沿って前後方向に移動可能となるように、第２アームを介して支持部に連結されている、
ことを特徴とする、ヘッドレスト装置。
【請求項２】
第１アームの一端は、ヘッドレストの前部に回動可能に連結されており、第１アームの他端は、支持部の上記第１水平軸に回動可能に連結されており、
第２アームの一端は、第１アームの上記一端より後方にてヘッドレストの裏面に回動可能に連結されており、第２アームの他端は、上記第２水平軸を介して、上記傾斜方向に沿って形成された傾斜ガイド部に、摺動可能に設けられている、
請求項１記載のヘッドレスト装置。
【請求項３】
第１アームの一端は、ヘッドレストの前部に固定されており、第１アームの他端は、支持部の上記第１水平軸に回動可能に連結されるとともに、支持部に前後方向に形成された前後ガイド部に、摺動可能に設けられており、
第２アームの一端は、第１アームの上記一端より後方にてヘッドレストの裏面に回動可能に連結されており、第２アームの他端は、上記第２水平軸を介して、上記傾斜方向に沿って形成された傾斜ガイド部に、摺動可能に設けられている、
請求項１記載のヘッドレスト装置。
【請求項４】
支持部が、第２アームを前後方向に移動させる駆動機構を、備えている、
請求項１乃至３のいずれか一つに記載のヘッドレスト装置。
【請求項５】
支持部が、第２アームを前後方向の所定位置に固定するためのロック機構を、備えている、
請求項１乃至３のいずれか一つに記載のヘッドレスト装置。
【請求項６】
傾斜ガイド部が、背板の表面側に向かって凸状の円弧を描くように湾曲している、
請求項２乃至５のいずれか一つに記載のヘッドレスト装置。
【請求項７】
前後ガイド部が、背板の表面側に向かって凸状の円弧を描くように湾曲している、
請求項３乃至５のいずれか一つに記載のヘッドレスト装置。
【請求項８】
傾斜ガイド部が、長溝又は長孔からなっている、
請求項２乃至６のいずれか一つに記載のヘッドレスト装置。
【請求項９】
前後ガイド部が、長孔又は長溝からなっている、
請求項３、４、５、及び７のいずれか一つに記載のヘッドレスト装置。
【請求項１０】
請求項１〜９のいずれか一つのヘッドレスト装置が、ヘッドレストを背板の後方に支持するよう、背板に取り付けられていることを特徴とする、医科歯科用診療台。
【発明の詳細な説明】
【技術分野】
【０００１】
本発明は、医科歯科用診療台で使用されるヘッドレスト装置、及び、該ヘッドレスト装置を備えた医科歯科用診療台、に関するものである。
【背景技術】
【０００２】
医科歯科用診療台で使用されるヘッドレスト装置としては、例えば特許文献１〜５に示される装置が知られている。特許文献１には、敷条４ａに沿って可動ブロック４が移動自在に案内される、ヘッドレストの角度付与装置が、示されている。特許文献２には、連結揺動作動する２本のリンク部材５、６を備えたヘッドレストが、示されている。特許文献３、５には、ヘッドレストを円弧状に案内する機構を有する装置が、示されており、具体的には、特許文献３では、安頭台２を支持する円弧状支持角筒３が円弧状支持角軸５に摺動自在に嵌着されており、また、特許文献５では、ヘッドレスト１５を押し上げるピン７５が略円弧状のガイド溝７２内を移動するようになっている。特許文献４には、回動リンク１２、１３や並動リンク１４を有する平行四辺形リンク１０によって調節される、医療用ベッドが、示されている。
【先行技術文献】
【特許文献】
【０００３】
【特許文献１】特開平６−９８９１３号公報
【特許文献２】特開２００３−３１０６７４号公報
【特許文献３】特開平７−９６０１２号公報
【特許文献４】実開平６−８０４２４号
【特許文献５】特開２００５−１２４７９６号公報
【発明の概要】
【発明が解決しようとする課題】
【０００４】
特許文献１では、ヘッドレストの自然な傾動（傾きながら動くこと）を実現するために摺動と回転とを組み合せたヘッドレスト２ａが提案されているが、このヘッドレスト２ａでは、頭部回動に伴う頚椎の複雑な動きの再現性が乏しいので、回動の際に看部が移動して看部と術者との相対的距離を保持できず、したがって、術者に対する負担が大きい。特許文献２の装置では、リンク部材の厚み及び複雑な構成によって、装置が高価となる。特許文献３、５の装置では、ヘッドレストを円弧状に案内する機構が、術者の足元に張り出して、術者の邪魔になる。特許文献４の装置では、リンク機構の厚みが大きいため、リンク機構が術者の邪魔になる。
【０００５】
更に、ヘッドレスト装置においては、従来から、次のような課題が提示されている。
（１）ヘッドレストを傾動させる際における、患者の負担を、極力軽減するために、自然な傾動を実現すること。また、該傾動に伴う術者の負担を、極力軽減するために、看部の位置ズレが少ない傾動を実現すること。
（２）術者による様々な診療形態に対応した位置に、ヘッドレストを傾動できること。
（３）傾動機構がコンパクトであり、術者の邪魔にならないこと。
（４）傾動機構の駆動方式として、手動方式でも電動方式でも採用できること。
（５）部品点数や機構を大幅に増やすことなく、安価な装置を提供できること。
【０００６】
本発明は、ヘッドレストの自然な傾動を実現できるとともに、上述のような種々の課題を解決できる、ヘッドレスト装置を、提供することを目的とする。
【課題を解決するための手段】
【０００７】
本発明は、医科歯科用診療台の長手方向における背板の後端にて患者頭部を支持可能なように、背板内部に取り付けて使用される、ヘッドレスト装置において、
患者の頭部を支えるためのヘッドレストと、
ヘッドレストを背板の後方に支持するよう、背板に取り付けられる、支持部と、
を備えており、
ヘッドレストは、支持部に対して、前後方向に対して直角な第１水平軸の回りに回動可能となるように、且つ、前後方向に移動可能となるように、第１アームを介して支持部に連結されており、
更に、ヘッドレストは、支持部に対して、前後方向に対して直角な第２水平軸の回りに回動しながら、前方に向けて低くなっている傾斜方向に沿って前後方向に移動可能となるように、第２アームを介して支持部に連結されている、
ことを特徴としている。
【０００８】
具体的には、次の（１）又は（２）の構成を採用できる。
（１）第１アームの一端は、ヘッドレストの前部に回動可能に連結されており、第１アームの他端は、支持部の上記第１水平軸に回動可能に連結されており、第２アームの一端は、第１アームの上記一端より後方にてヘッドレストの裏面に回動可能に連結されており、第２アームの他端は、上記第２水平軸を介して、上記傾斜方向に沿って形成された傾斜ガイド部に、摺動可能に設けられている。
【０００９】
（２）第１アームの一端は、ヘッドレストの前部に固定されており、第１アームの他端は、支持部の上記第１水平軸に回動可能に連結されるとともに、支持部に前後方向に形成された前後ガイド部に、摺動可能に設けられており、第２アームの一端は、第１アームの上記一端より後方にてヘッドレストの裏面に回動可能に連結されており、第２アームの他端は、上記第２水平軸を介して、上記傾斜方向に沿って形成された傾斜ガイド部に、摺動可能に設けられている。
【発明の効果】
【００１０】
本発明においては、ヘッドレストは、第１アームを介して支持部に連結されていることにより、支持部に対して、第１水平軸回りに回動しながら前後方向に移動する。また、ヘッドレストは、第２アームを介して支持部に連結されていることにより、支持部に対して、第２水平軸回りに回動しながら傾斜ガイド部に沿って前後方向に移動する。これにより、ヘッドレストは、全体が前後方向へ移動しながら、前後方向において傾斜していく。このような動きの組合せは、人間が頸部を前後方向へ傾倒させる際の頚椎の動きを、充分に再現することができる。したがって、本発明によれば、患者への負担を低減できる、ヘッドレストの自然な傾動を、実現できる。更に、ヘッドレストの調整に伴う看部の位置ズレを抑えながら対象部位の角度のみ変えることができる、ヘッドレストの傾動動作が、可能となる。したがって、術者は、不要な姿勢調整を行うことなく、一定ポジションからでも、様々な診療形態に対処できる。
【００１１】
また、本発明においては、ヘッドレストは、第１アーム及び第２アームを介して支持部に連結されているだけである。したがって、本発明によれば、連結機構すなわち傾動機構を簡素化でき、それ故、傾動機構をコンパクト化でき、傾動機構が術者の足元付近に張り出すなどして邪魔になるのを防止できる。
【００１２】
更に、本発明のヘッドレスト装置は、第２アームが連結されている第２水平軸を前後に移動させるだけで、作動する。そして、第２水平軸の移動は、手動でも電動でも可能である。したがって、本発明のヘッドレスト装置は、傾動機構の駆動方式として、手動方式でも電動方式でも採用できる構成であるので、多彩な器種にも安価且つ容易に設けることができ、汎用性が高い。
【図面の簡単な説明】
【００１３】
【図１】本発明の医科歯科用診療台を備えた診療ユニットを示す斜視図である。
【図２】図１の診療台の長手方向に沿った断面略図である。
【図３】第１実施形態のヘッドレスト装置の斜視図である。
【図４】カバー体を取り外したヘッドレスト装置の斜視図である。
【図５】図４のヘッドレスト装置の平面図である。
【図６】図５のVI矢視図である。
【図７】図５のVII矢視図である。
【図８】図５のVIII矢視図である。
【図９】図５のIX矢視図である。
【図１０】図６のＸ−Ｘ断面略図である。
【図１１】ヘッドレスト装置の作動の変遷を示す斜視図である。
【図１２】ヘッドレスト装置の作動の変遷を示す要部正面図である。
【図１３】図１２の作動における支持板などの移動軌跡を示す図である。
【図１４】第２実施形態のヘッドレスト装置の要部正面図である。
【図１５】図１４の（Ａ）のＸＶ−ＸＶ断面略図である。
【図１６】第２実施形態の変形構成の一例を示す、図１５に相当する図である。
【発明を実施するための形態】
【００１４】
［第１実施形態］
図１は、医科歯科用診療ユニット１００を示している。このユニット１００は、本発明の診療台１０１と、治療台１０２と、術者用椅子１０３と、を有している。診療台１０１は、椅子本体１１と、椅子本体１１を支持する基台１２と、からなっている。基台１２には、椅子本体１１の昇降作動を操作するフートスイッチ１３が、接続されている。治療台１０２は、各種の治療用ハンドピース１０４を備えている。
【００１５】
椅子本体１１は、脚板１４と座板１５と背板１６と本実施形態のヘッドレスト装置２とからなっている。ヘッドレスト装置２は、椅子本体１１の長手方向（矢印Ｘ方向）における背板１６の後端にて患者頭部を支持可能なように、背板１６内部に取り付けられている。なお、長手方向とは、脚板１４、座板１５、及び背板１６の連設方向に沿った方向のことであり、脚板１４側が「前」であり、背板１６側が「後」であり、この方向性は、背板１６が寝ていても起きていても変わらないものとする。
【００１６】
図２は、図１の椅子本体１１を長手方向すなわち前後方向に沿って切断して示す断面略図である。ヘッドレスト装置２は、患者の頭部を支えるためのヘッドレスト２１と、支持部３と、からなっている。支持部３は、ヘッドレスト２１を背板１６の後方に支持するよう、背板１６に取り付けられている。ヘッドレスト２１は、レスト部材２１０が支持板２１１の表面に取り付けられて構成されている。
【００１７】
以下に、ヘッドレスト装置２の各部の具体的構成を示す。図３は、ヘッドレスト装置２の斜視図である。支持板２１１は、１本の第１アーム４及び２本の第２アーム５を介して、支持部３に連結されている。なお、支持部３は、基板３０１と、基板３０１を覆うカバー体３０２と、基板３０１及びカバー体３０２に組み付けられる壁部３０と、を備えている。
【００１８】
図４は、カバー体３０２を取り外したヘッドレスト装置２の斜視図である。図５は、図４のヘッドレスト装置２の平面図である。図６は、図５のVI矢視図である。図７は、図５のVII矢視図である。図８は、図５のVIII矢視図である。図９は、図５のIX矢視図である。図１０は、図６のＸ−Ｘ断面略図である。
【００１９】
本実施形態では、第１アーム４は、ヘッドレスト装置２における前後方向に対する直角方向（すなわち幅方向（矢印Ｙ方向））の、中央に、設けられている。第１アーム４の一端４１は、支持板２１１の裏面の前部の軸受部２１２に固定された水平軸４２に、回動可能に連結されている。水平軸４２は、幅方向に延びている。一方、支持部３は、後部の幅方向両側に、壁部３０を有している。第１アーム４の他端４３は、図８及び図１０に示されるように、水平軸（第１水平軸）４４に、回動可能に連結されている。水平軸４４の両端は、支持部３の両壁部３０に固定されており、第１アーム４の他端４３は、水平軸４４の幅方向中央部に、連結されている。水平軸４４も幅方向に延びている。第１アーム４は、前方へ向けて少しだけ凸状となるよう、湾曲している。このように、支持板２１１は、第１アーム４を介して、支持部３に、前述のとおり連結されていることにより、支持部３に対して、水平軸４４回りに回動可能であり、且つ、前後方向に移動可能である。
【００２０】
第２アーム５は、ヘッドレスト装置２における幅方向の両側に設けられている。第２アーム５の一端５１は、支持板２１１の裏面の軸受部２１３に固定された水平軸５２に、回動可能に連結されている。軸受部２１３は、第１アーム４の軸受部２１２より後方に設けられている。水平軸５２は、幅方向に延びている。第２アーム５の他端５３は、支持部３の壁部３０に設けられた傾斜ガイド部５４に、摺動可能に設けられている。第２アーム５の他端５３は、図１０に示されるように、水平軸（第２水平軸）５５を介して、傾斜ガイド部５４内を摺動可能なベアリング５６に支持されている。水平軸５５は、幅方向に延びている。具体的には、水平軸５５を構成するシャフトの一端５５１は、第２アーム５の他端５３に固着されており、他端５５２は、ベアリング５６のインナーレース５６１に固着されている。ベアリング５６は、アウターレース５６２が傾斜ガイド部５４内で回転することにより、傾斜ガイド部５４内を摺動可能となっている。傾斜ガイド部５４は、前方に向けて低くなっている長溝５４１からなっている。この長溝５４１は、背板１６の、患者の背中に当接する表面側に（図６及び図７では上方に）向かって、少しだけ凸状の円弧を描くように湾曲している。
【００２１】
第２アーム５は、更に、前方へ延びた延在部５８を有している。延在部５８の先端部５８１は、移動ブロック５７に固定された水平軸５７１に、回動可能に連結されている。水平軸５７１は、幅方向に延びている。移動ブロック５７は、支持部３内に、前後方向に移動可能に、設けられている。
【００２２】
このように、支持板２１１は、第２アーム５を介して、支持部３に、前述のとおり連結されていることにより、支持部３に対して、水平軸５５回りに回動しながら、傾斜ガイド部５４に沿って前後方向に移動可能である。
【００２３】
支持部３には、移動ブロック５７すなわち第２アーム５を、前後方向の所定位置に固定するためのロック機構６が、設けられている。ロック機構６は、ロック操作部６０とレバー６１と爪部６２とストッパ部６３とを備えている。ロック操作部６０は、支持板２１１の側面に設けられており、前方部分がレバー６１に一体に連結されている。レバー６１は、前後方向に延びて、一方の第２アーム５の幅方向外側に位置している。爪部６２は、レバー６１の基端部６１１に且つ移動ブロック５７と一体に、設けられており、ロック操作部６０を幅方向に押したり離したりする操作に伴って、ロック操作部６０と一体のレバー６１の先端部６１２が幅方向の内外に少し移動することによって、全体として幅方向に対する可撓性を有する構造となっている。この構造では、ロック操作部６０を幅方向へ操作すると、レバー６１の基端部６１１が、連動して、（操作方向とは逆の）幅方向へ作用できるので、基端部６１１に一体に設けられた爪部６２とストッパ部６３との嵌合状態を操作できる。ストッパ部６３は、支持部３に固定された、前後方向に延びた、フレーム体であり、前進した爪部６２が嵌合する凹部６３１を、前後方向に多数個有している。凹部６３１に嵌合した爪部６２は、後方方向への力を加えると後方へ外れるが、前方方向への力を加えても前方へ外れない、形態を、有している。
【００２４】
上記構成のヘッドレスト装置２の作動は、次のとおりである。なお、図１１は、ヘッドレスト装置２の作動の変遷を示す斜視図であり、図１２は、ヘッドレスト装置２の作動の変遷を示す要部正面図である。両図において、（Ａ）は、ヘッドレスト２１の支持板２１１が最も水平に近い状態、すなわち、ヘッドレスト装置２の伸長時の状態を示し、（Ｃ）は、支持板２１１が最も傾斜している状態、すなわち、ヘッドレスト装置２の短縮時の状態を示し、（Ｂ）は、（Ａ）と（Ｃ）との略中間の状態を示している。（Ａ）の状態では、移動ブロック５７が支持部３内の可動領域の後端に位置しており、第２アーム５の他端５３が傾斜ガイド部５４の後端に位置している。
【００２５】
（Ａ）の状態において、ロック操作部６０を操作して、レバー６１の先端部６１２を内側に移動させて爪部６２を後退させ、それによって爪部６２を凹部６３１から外し、移動ブロック５７を前方に移動させると、第２アーム５は、延在部５８によって前方へ引かれ、他端５３が傾斜ガイド部５４に沿って前方へ移動する。このとき、第１アーム４は、一端４１が水平軸４２回りに矢印Ｒ１方向に回動しながら、他端４３（図８、図１０参照）が水平軸４４回りに矢印Ｒ１方向に回動し、また、第２アーム５は、一端５１が水平軸５２回りに矢印Ｒ１方向に回動する。これにより、図１２において、第１アーム４の一端４１は、斜め上方へ且つ前方へ、移動し、第２アーム５の一端５１は、斜め下方へ且つ前方へ、移動する。したがって、支持板２１１は、全体が前方へ移動しながら、水平軸５２を支点として、前部２１１Ａの前方側が矢印Ｒ２方向へ起きあがるように傾斜すると共に後部２１１Ｂの後方側が矢印Ｒ２方向へ寝ていくように傾倒する。しかも、長溝５４１が、背板１６の、患者の背中に当接する表面側に（図１２では上方に）向かって、少しだけ凸状の円弧を描くように湾曲しているので、第２アーム５の他端５３は、図１２において、上に向いて少しだけ凸状の円弧を描きながら、前方へ移動する。これにより、第１アーム４の一端４１の斜め上方への移動、及び、第２アーム５の一端５１の斜め下方への移動は、上に向いて少しだけ凸状の円弧を描く。図１３は、上記作動における、支持板２１１、水平軸４２、及び水平軸５２の移動軌跡を、示している。
【００２６】
移動ブロック５７を前端まで移動させると、（Ｃ）の状態となり、移動ブロック５７を途中まで移動させると、（Ｂ）の状態となる。なお、ロック機構６を作動させることにより、第２アーム５を（Ａ）〜（Ｃ）に至るどの位置においても、固定できる。すなわち、レバー６１の先端部６１２を外側に移動させると、爪部６２が前進して凹部６３１に嵌合し、移動ブロック５７がストッパ部６３に固定され、これによって、第２アーム５が所定位置に固定される。
【００２７】
図１３からわかるように、支持板２１１すなわちヘッドレスト２１の移動軌跡は、第１アーム４及び第２アーム５がそれぞれ有する各水平軸の動きと連動して、極めて自然な傾動を示している。したがって、上記構成のヘッドレスト装置２によれば、ヘッドレスト２１の自然な傾動を実現できる。なお、自然な傾動によれば、ヘッドレスト調整時に患者の頚椎への負担を最小限に抑えた、患者の頭部回転を、実現できる。本実施形態では、患者頭部が回転するとき、支持板２１１の前後方向への移動及び回転角度が、患者頚椎の自然な動きを再現するように、第１アーム４、第２アーム５、水平軸４２、長溝５４１が、相互に動きを連関させて、各部材の動作及び可動域を決定しながら、患者にとって自然な傾動を実現するよう、構成されている。また、自然な傾動によれば、ヘッドレスト調整時に、看部（歯牙の咬合面などの口腔）の位置を移動させることなく角度のみを変位させることによって、患者の頭部が回転しても、看部と術者との相対的距離を一定に維持でき、それ故、術者が不要な姿勢の再調整をしなくて済む、ヘッドレストの動きを、実現できる。本実施形態においては、支持板２１１に載せた患者頭部が、移動軌跡Ｋに沿って、どの位置まで回転しても、顎関節Ｊの位置が一定となるように、支持板２１１裏面の水平軸４２及び水平軸５２と、第２アームの水平軸５５と、移動ブロック５７に固定された水平軸５７１と、の可動領域が、調整されているので、患者だけでなく術者にとっても、自然な傾動を実現できる。
【００２８】
なお、ヘッドレスト装置２において、第１アーム４は、幅方向の中央に位置しており、第２アーム５は、幅方向の両側に位置しているので、上記作動の際に、第１アーム４と第２アーム５とは、相互に移動の妨げにはならない。
【００２９】
［第２実施形態］
図１４は、本実施形態のヘッドレスト装置２の要部正面図であり、（Ａ）は、支持板２１１が水平に近い状態、すなわち、ヘッドレスト装置２の伸長時の状態を示し、（Ｂ）は、支持板２１１が傾斜している状態、すなわち、ヘッドレスト装置２の短縮時の状態を示している。図１５は、図１４の（Ａ）のＸＶ−ＸＶ断面略図である。
【００３０】
本実施形態のヘッドレスト装置２は、第１実施形態のヘッドレスト装置２に比して、第１アーム４の連結構造が異なっているだけである。すなわち、本実施形態においては、第１アーム４の一端４１は、支持板２１１の裏面の前部に固着されている。また、第１アーム４の他端４３は、支持部３の壁部３０の水平軸４４に回動可能に連結されているが、水平軸４４は、壁部３０に形成された前後ガイド部４６に、摺動可能に設けられている。具体的には、図１５に示されるように、第１アーム４の他端４３には、水平軸４４が貫通しており、水平軸４４は、例えば六角穴付きボルト等の固定部材４３１によって、他端４３に固定されている。水平軸４４は、幅方向に延びている。一方、前後ガイド部４６は、両壁部３０に形成された、前後方向に延びた長孔４６１からなっている。水平軸４４は、その両端４４１が両壁部３０の長孔４６１に挿通されており、これにより、前後ガイド部４６に沿って前後方向に摺動可能となっている。長孔４６１は、背板１６の、患者の背中に当接する表面側に（図１４では上方に）向かって、少しだけ凸状の円弧を描くように湾曲している。
【００３１】
本実施形態のヘッドレスト装置２においても、移動ブロック５７を前方に移動させると、第２アーム５は、延在部５８によって前方へ引かれ、他端５３が傾斜ガイド部５４に沿って前方へ移動する。このとき、第１アーム４は、一端４１が前方へ移動しながら、他端４３が水平軸４４回りに矢印Ｒ２方向に回動し、また、第２アーム５は、一端５１が水平軸５２回りに矢印Ｒ１方向に回動する。これにより、第１アーム４の一端４１は、斜め上方へ且つ前方へ、移動し、第２アーム５の一端５１は、斜め下方へ且つ前方へ、移動する。したがって、支持板２１１は、全体が前方へ移動しながら、水平軸５２を支点として、前部２１１Ａの前方側が矢印Ｒ２方向へ起きあがるように傾斜すると共に後部２１１Ｂの後方側が矢印Ｒ２方向へ寝ていくように傾倒する。しかも、長溝５４１が、背板１６の、患者の背中に当接する表面側に向かって、少しだけ凸状の円弧を描くように湾曲しており、また、長孔４６１も、背板１６の表面側に向かって少しだけ凸状の円弧を描くように湾曲しているので、第２アーム５の他端５３は、図１４において、上方に向いて少しだけ凸状の円弧を描きながら、前方へ移動する。これにより、第１アーム４の一端４１の斜め上方への移動、及び、第２アーム５の一端５１の斜め下方への移動は、上方に向いて少しだけ凸状の円弧を描く。したがって、本実施形態のヘッドレスト装置２においても、支持板２１１、水平軸４４、及び水平軸５２の移動軌跡は、図１３に示されるようになる。なお、図１３の水平軸４２の移動軌跡が、本実施形態における水平軸４４の移動軌跡である。
【００３２】
したがって、本実施形態のヘッドレスト装置２によっても、第１実施形態と同様に、ヘッドレスト２１（図２にて図示）の自然な傾動を実現できる。
【００３３】
なお、ヘッドレスト装置２において、第１アーム４は、幅方向の中央に位置しており、第２アーム５は、幅方向の両側に位置しているので、上記作動の際に、第１アーム４と第２アーム５とは、相互に移動の妨げにはならない。
【００３４】
［実施形態の変形構成］
上記第１及び第２実施形態においては、次のような変形構成を採用できる。
（ａ）支持板２１１が、２本の第１アーム４及び１本の第２アーム５を介して、支持部３に連結されている。この場合、第１アーム４は、ヘッドレスト装置２における幅方向の両側に設けられ、第２アーム５は、ヘッドレスト装置２における幅方向の中央に設けられている。例えば、図１６は、第２実施形態の変形構成を示している。図１６に示されるように、２本の第１アーム４は、それぞれ、支持部３（図１６では図示せず）の壁部３０の幅方向外側に位置している。水平軸４４は、第１アーム４の他端４３に固定された状態で、壁部３０の長孔４６１内に摺動可能に位置している。第２アーム５は、両壁部３０の間に位置している。傾斜ガイド部５４は、２つ形成されており、それぞれ、両壁部３０の対向する内面に形成されている。水平軸５５の両端５５２は、それぞれ、傾斜ガイド部５４内を摺動可能なベアリング５６に支持されている。
【００３５】
（ｂ）傾斜ガイド部５４が、長孔からなっている。この場合においては、例えば、図１６における第１アーム４の連結構造を、第１及び第２実施形態における第２アーム５の連結構造として採用する。
【００３６】
（ｃ）前後ガイド部４６が、長溝からなっている。この場合においては、例えば、図１６における第２アーム５の連結構造を、第２実施形態における第１アーム４の連結構造として採用する。
【００３７】
（ｄ）移動ブロックを前後方向に移動させる駆動機構が、設けられている。この駆動機構が設けられた場合は、ロック機構６は不要である。駆動機構としては、例えば、図１４に示されるような、モータＭと駆動ネジ軸Ｎとからなる機構を、使用できる。駆動ネジ軸Ｎの一端は、モータＭの出力軸Ｐに、接続用カップリング部材Ｃを介して、固定されており、これにより、駆動ネジ軸Ｎは、モータＭの回転と連動回転するようになっている。この機構では、移動ブロック５７Ａが、駆動ネジ軸Ｎに対して、前後方向に移動可能なように、螺合している。具体的には、駆動ネジ軸Ｎの前部は、細い円柱棒状体であり、後部は、太いネジ部であり、前端は、支持部３に設けられた駆動ネジ軸受Ｗを貫通して、接続用カップリング部材Ｃにピン固定されており、後端は、支持部３の後端部に回転可能に連結されている。そして、駆動ネジ軸Ｎのネジ部が、移動ブロック５７Ａを前後方向に貫通しており、移動ブロック５７Ａは、ネジ部に螺合している。この機構では、モータＭが回転して、接続用カップリング部材Ｃとともに駆動ネジ軸Ｎが回転すると、移動ブロック５７Ａが、駆動ネジ軸Ｎに沿って前後方向に移動するようになっている。このとき、移動ブロック５７Ａの動きは、移動ブロック５７Ａの側面に延在部５８の先端部５８１を介して回動自在に連結された第２アーム５によって、規制されるため、駆動ネジ軸Ｎが回転しても、移動ブロック５７Ａは、回転することなく、前後方向に移動する。この機構では、駆動ネジ軸Ｎは、支持部３に設けられた駆動ネジ軸受Ｗに挿通されており、また、駆動ネジ軸Ｎのネジ部の外径が、駆動ネジ軸受Ｗの挿通孔の内径より大きいので、支持板２１１にヘッドレスト２１（図２参照）及び患者頭部（図示せず）等の重量がかかっても、駆動ネジ軸受Ｗが駆動ネジ軸Ｎのネジ部の前端面を支えることにより、駆動ネジ軸Ｎに連設された接続用カップリング部材Ｃ及びモータＭに、負荷はかからない。それ故、この構成によれば、ヘッドレスト装置の強度を保つことができる。この変形構成によれば、移動ブロック５７Ａの前後方向の位置を細かく設定できるので、ヘッドレスト２１の傾斜具合を細かく設定できる。なお、このような駆動機構の操作は、従来の一般的な医科歯科用診療ユニットのように、ユニットを構成する診療台や治療台の、一部に設けられた、操作用スイッチやフートスイッチによって、電気的に行うことができる。言うまでもないが、このような駆動機構は、実施形態１にも適用できる。
【００３８】
なお、本発明のヘッドレスト装置においては、（i）各アームの長さ、（ii）アームに設けられた作動中心である軸の位置、（iii）軸の動作及び可動域を案内する、長溝又は長孔の、長さや周縁の形状、（iv）移動ブロックの可動範囲、などを変更することによって、ヘッドレストの、移動量、回動範囲、傾斜角度などを、調整・変更できる。
【産業上の利用可能性】
【００３９】
本発明のヘッドレスト装置は、ヘッドレストの自然な傾動を実現できるので、産業上の利用価値が大である。
【符号の説明】
【００４０】
１０１  診療台  １６  背板  ２１  ヘッドレスト  ３  支持部  ４  第１アーム  ４１  一端  ４３  他端  ４４  第１水平軸  ４６  前後ガイド部  ４６１  長孔  ５  第２アーム  ５１  一端  ５３  他端  ５４  傾斜ガイド部  ５４１  長溝  ５５  第２水平軸  ６  ロック機構
【図１】
2010284265.tif 000003
【図２】
2010284265.tif 000004
【図３】
2010284265.tif 000005
【図４】
2010284265.tif 000006
【図５】
2010284265.tif 000007
【図６】
2010284265.tif 000008
【図７】
2010284265.tif 000009
【図８】
2010284265.tif 000010
【図９】
2010284265.tif 000011
【図１０】
2010284265.tif 000012
【図１１】
2010284265.tif 000013
【図１２】
2010284265.tif 000014
【図１３】
2010284265.tif 000015
【図１４】
2010284265.tif 000016
【図１５】
2010284265.tif 000017
【図１６】
2010284265.tif 000018